(57)【要約】本発明はスキンストレッチャー（９）、潤滑装置（１４）等の電気シェーバーの外部切断要素（４）に取り付け及び取り外すためのアクセサリーにおける補助部品（７）に関する。簡素で迅速な手法によってシェービングヘッドの周辺及び／若しくはその上に取り付け及び取り外すアクセサリーのための安価で簡素な部品を提供するために、本発明による補助部品は、一方の側で外部切断要素（４）に接続でき、もう一方の側で一つ以上のアクセサリー（９，１４）のための接続手段で提供される要素（８）によって形成されることを特徴とする。
2004516119.tif 000002
【特許請求の範囲】
【請求項１】
着脱可能な手法で、電気カミソリの外部切断要素上若しくは前記要素のまわりで、スキンストレッチャー、潤滑装置及び同様のような取り付けるアタッチメントのための補助部品であって、一つ若しくは数多の前記アタッチメントにおいて、一方の側によって前記対応する外部切断要素上にクリックすることができ、もう一方の側に、例えば、スナップコレクション手段である固定手段で提供される要素によって形成されることを特徴とする補助部品。
【請求項２】
請求項１に記載され並びに前記補助部品は、各々が前記切断要素の外周に厳密に適合する一つ若しくは二つの長方形の陥凹を備える長方形型を有し、及び前記補助部品は、少なくとも一つのスキンストレッチャー要素及び／若しくは少なくとも一つの潤滑剤キャリアを固定するための手段を備えるそれぞれの前記陥凹の長い側に沿った上部に提供されることを特徴とする前記外部切断要素がシェービング箔によって形成される電気シェーバーに適する補助部品。
【請求項３】
請求項１に記載され、及び環状要素は、前記切断要素の外周の周りで厳密に適合する筒面を前記切断要素の内周に供給され、さらに、環状のスキンストレッチャー要素若しくは潤滑剤要素が厳密に適合されている前記外周に筒面を提供されることを特徴とする回転式切断要素を備えて提供される電気シェーバーに適する補助部品。
【請求項４】
高くして、わずかに円錐形の端を備えた表面は、リングの端においては潤滑性のキャリアーを提供することができる前記リングに接続されるために前記リング内に提供されることを特徴とする請求項３に記載の補助部品。
【請求項５】
前記中央表面は前記切断要素の収容スペースに適合する突出を伴って別の側で提供されることを特徴とする請求項４に記載の補助部品。
【請求項６】
前記が実質的に使い果たされて置き換えが必要なことを可視する磨耗インジケーターが前記中央表面に提供されることを特徴とする請求項２若しくは５に記載の補助部品。
【請求項７】
前述までの請求項１乃至６のうち何れか一つ以上に記載され、及び前記補助部品はスナップ接続の手段による外部切断要素の中央孔に固定され得る突出を備える一つの側で提供される基部品によって形成され、一方で磨耗インジケーターは前記基部品のもう一方の側に提供される潤滑層によって覆われることを特徴とする一つ以上の回転式切断要素を備えて提供される電気シェーバーに特に適する補助部品。
【請求項８】
各々がヘアー入り口開口部を備えて提供されている外部切断要素を含む少なくとも一つのシェービングヘッドを伴う電気シェーバーであって、各前記シェービングヘッドは、前記シェービングヘッド上若しくは周辺に折られて収容され、及び前記シェービングヘッドから取り外しできる前述までの請求項の一つ以上に記載のような補助部品を備えて提供されることを特徴とする電気シェーバー。
【発明の詳細な説明】
【０００１】
本発明は、着脱可能な手法で、電気カミソリの外部切断要素上若しくはその要素のまわりで、スキンストレッチャー、潤滑装置及び同様のような取り付けるアタッチメントのための補助部品に関係がある。
【０００２】
シェービングヘッドの周辺及びシェービングヘッドのそれぞれに対して提供されるスキンストレッチャー及び潤滑装置などのアタッチメントを備えて提供される電気シェーバーは本来から公知である。回転式切断要素を備えて提供される電気シェーバーは、シェービングヘッドの外部切断要素の周りに提供されるスキンストレッチャー要素を備える米国特許出願番号ＵＳ２２４６４５９から既知である。さらに、欧州特許出願番号ＥＰ０７７３８５５は、シェービング中に潤滑剤のある特定の量を適用する潤滑剤ストリップが提供されて、より滑らかなシェービングの実行される結果となる手動のシェーバーを開示している。
【０００３】
かかるアタッチメントは使用中に汚染と摩耗を受けやすい。前者は、特にウェットシェービングと同様にドライにおいて使用される電気シェーバーでのスキンストレッチャー要素を伴って主に発生する。タップの下ですすぐことは正常な清掃に十分であるが、スキンストレッチャー要素シェービングヘッドからを着脱させて、より完全な洗浄が時々望ましい。潤滑剤キャリアは操作の過程で潤滑剤を供給し、使い切った後では置き換えが必要である。
【０００４】
本発明の目的は、安価で簡素な構造であり、アタッチメントが簡素で迅速な手法でシェービングヘッド上若しくはその周辺に提供でき、そこから再度取り外し可能な手法による補助部品を提供することである。
【０００５】
この目的を達成するために、本発明による補助部品は、一つ若しくは数多のアタッチメントにおいて、一方の側によって対応する外部切断要素上にクリックすることができ、もう一方の側に、例えば、スナップコレクション手段である固定手段で提供される要素によって形成されることを特徴とする。
【０００６】
存在するすべてのアタッチメントはこの手法での様その手段によって同時にシェービングヘッドに取り付け可能で、さらに、所望であれば同時に再度取り外すことができる。これは、使用のかなり増大された容易さを導く。ここでの要素は、回転式及び振動型の両者のシェーバーのシェービングヘッドで使用されるかもしれない。
【０００７】
外部切断要素がシェービング箔によって形成されるシェーバーにおいて適切な補助部品の実施態様において、補助部品は、各々が切断要素の外周に厳密に適合する一つ若しくは二つの長方形の陥凹を備える長方形型を有し、及び補助部品は、少なくとも一つのスキンストレッチャー要素及び少なくとも一つの潤滑剤キャリアを固定するための手段を備えるそれぞれの陥凹の長い側に沿った上部に提供される。かかるシェーバーの内部切断要素は、振動式往復運動シェービング要素若しくは回転式円筒状シェービング要素によって形成される。
【０００８】
回転式切断要素を備えるシェーバーに適するさらなる実施態様において、環状要素は、切断要素の外周の周りで厳密に適合する筒面をその内周に供給され、さらに、環状のスキンストレッチャー要素若しくは潤滑剤要素が厳密に適合されているその外周に筒面を提供される。
【０００９】
さらなる実施態様において、高くして、わずかに円錐形の端を備えた表面は、リングの端においては潤滑性のキャリアーを提供することができるリングに接続されるためにリング内に提供される。
【００１０】
外部切断要素にしっかりと提供されているアタッチメントで補助部品を固定するために、中央表面は切断要素の収容スペースに適合する突出を伴って別の側で提供される。この手法での補助部品は切断要素の外部と接触するだけでなく、切断要素に存在する中央孔とも接触する。
【００１１】
潤滑剤キャリアが置き換えられる場合の電気シェーバーの使用を明かにするために、潤滑剤キャリアが実質的に使い果たされて置き換えが必要なことを可視する磨耗インジケーターが潤滑剤キャリアの下に提供される。このインジケーターは銘若しくは着色されたスポットである。
【００１２】
本発明は、さらに、シェービングヘッドが前述に記載のような補助部品を備えて提供される電気シェーバーに関する。
【００１３】
本発明は実施例の手段によって示される電気シェーバーにおけるアタッチメントを備える補助部品の実施態様で図に関連してより詳細に説明される。
【００１４】
図１に示される電気シェーバーはハウジングから取り外しができるか若しくはハウジングに蝶番で取り付けられているシェービングヘッドホルダー２を備えるハウジング１を伴って提供される。３つのシェービングヘッドがシェービングヘッドホルダー２に収容されて、各々はヘアー入り口開口部５及び内部ヘアー切断要素６を備える外部ヘアー切断要素４を有し、後者の要素は外部切断要素に関する回転への導きを可能にする。内部ヘアー切断要素は、シェーバーのハウジングに収容されているモーター（示されていない）によって導かれる。
【００１５】
図２は、外部切断要素４の断面を示している。アタッチメントを備える補助部品７は、外部切断要素４に折られて収容されている。補助部品７は、厳密に切断要素４の周辺に適合するような内部直径を有する環状要素８から構成される。スキンストレッチャー要素９は環状要素８に提供されている。環状要素８は、表面が切断要素４の中央部分でわずかに低下して、位置し、そのより低い側の切断要素４の孔に収容される突出を供給される、わずかな接続部分１０を介して中央表面１１に接続されている。
【００１６】
環状要素８はこの手法で外部切断要素４に非常にしっかりと固定される。潤滑剤を含む物質のディスク１４は中央表面１１に提供される。このようにアタッチメント９及び１４はキャリア要素８の手段によって外部切断要素４に取り付けられ、スキンストレッチャー要素９が汚染されたか若しくは潤滑剤キャリア１４が使い果たされた何れかの場合に環状キャリア８と同時に切断要素４から再度取り外しできる。
【００１７】
補助部品７の構成及び切断要素４に提供される手法を明かにするために、図３は図２を拡大した大きさで詳細に示し、一方でその部分は図４の斜視図で描写される。
【００１８】
潤滑性のキャリア１４がほとんど使い果たされたことをユーザに認識可能にするために、潤滑性ディスク１４より下の中央表面１１は、潤滑性ディスクが置換予定されていることを示す銘若しくは有色のスポットを供給される。その時点において、潤滑剤ディスクは環状要素８の手段によってスキンストレッチャー要素と共に切断要素から取り外され、新しいディスクと置き換えられる。
【００１９】
図５は、回転式シェーバーの外部切断要素に潤滑剤キャリアを固定するための補助部品の断面を示している。ここでの参照番号３１は、外部切断要素の孔と協同することができるように、軸の切り口（示されていない）に多少弾力のあるように起因する突出３２をその１つの側で供給される基部品である。次いで、スナップ接続が作成されるように、エッジ３３は孔のメイティングリム（示されていない）の後ろでつかむことができる。潤滑剤キャリア３６が基部品に固定される手段による層３５と同様に、磨耗インジケーター３４は基部品３１に提供される。電気シェーバーにおける潤滑剤キャリアは、容易く取り付けられ交換される手法で獲得される。
【００２０】
図６はハウジング５１及びシェービング箔の形態の外部切断要素５３を備える電気シェーバーを概略して斜視図で示している。例えば、合成レジンからなるフレーム５７は切断要素５３の上に示され、二つの切断要素５３の周辺に厳密に適合する型を伴う延在する陥凹５８が提供される。フレームは潤滑剤キャリア５９による手段（示されていない）を備える陥凹５８の長い側に沿った上部側に位置し、二つのスキンストレッチャー要素６０はフレーム５７の上部側に取り付けできる。
【００２１】
図７は拡大された大きさのフレーム５７の部分を示している。
【００２２】
フレーム５７が図６及び７の実施態様の二つの切断要素５３において統合された全体として描写されているが、図８で示されるように二つの部分のフレーム５７を構成することが代替的に可能である。
【００２３】
フレーム５７がシェーバーのハウジング５１に固定されるが、しかし統合された一つとして形成されるようにシェービング箔５３に対する適合された型のフレーム５７を固定することが代替として可能であることを注意すべきである。
【図面の簡単な説明】
【図１】
概略して実際の大きさではない回転式切断要素を備える電気シェーバーを示す斜視図である。
【図２】
アタッチメントを備える補助部品の概略した実際の大きさではない断面図を示す。
【図３】
拡大した大きさの図２の補助部品の部分を示す。
【図４】
外部切断要素に補助部品とアタッチメントを組み合わせた拡大図を示す。
【図５】
本発明による補助部品の代替となる実施態様を概略する断面図を示す。
【図６】
補助部品が置き換えられるところを示すシェービング箔を備える電気シェーバーの実際の大きさではない概略した斜視図を示す。
【図７】
図６で取り付けられた補助部品の詳細な拡大図である。
【図８】
図６で取り付けられた補助部品の詳細な拡大図である。
【国際公開パンフレット】
2004516119.tif 000003
2004516119.tif 000004
2004516119.tif 000005
2004516119.tif 000006
2004516119.tif 000007
2004516119.tif 000008
2004516119.tif 000009
2004516119.tif 000010
2004516119.tif 000011
2004516119.tif 000012
2004516119.tif 000013
2004516119.tif 000014
【国際調査報告】
2004516119.tif 000015
2004516119.tif 000016